(57)【要約】      （修正有）【課題】通行者の一人一人に対して迅速的にサンプル採取することを実現でき、検査効率を向上させ、人員通行の現場迅速検査に適したワイピングサンプル採取装置を提供する。【解決手段】ワイピングサンプル採取装置は、それぞれの回転軸周りに回動できる第一輪１、第二輪２、及び、第一輪１と第二輪２に引っ張られ、第一輪１と第二輪２の回動によって第一輪１と第二輪２との間を移動するワイピングコンベヤ３を含むワイピングサンプル採取部と、送られてきたサンプルを解析するように配置される解析部と、を備える。ワイピングコンベヤ３は、被検体４の表面のサンプルをワイピングして採取する。ワイピングコンベヤ３が解析部に入った時、解析部がワイピングコンベヤ３上のサンプルを解析できるように移動して、解析部を通過する。【選択図】図１
2018096982.tif 000002
【特許請求の範囲】
【請求項１】
それぞれの回転軸周りに回動できる第一輪、第二輪、及び、第一輪と第二輪に引っ張られ、第一輪と第二輪の回動によって第一輪と第二輪との間を移動するワイピングコンベヤを含むワイピングサンプル採取部と、
送られてきたサンプルを解析するように配置される解析部と、を備えるワイピングサンプル採取装置であって、
前記ワイピングコンベヤが前記解析部に入った時、解析部が前記ワイピングコンベヤ上のサンプルを解析できるように、前記ワイピングコンベヤは移動して前記解析部を通過するワイピングサンプル採取装置。
【請求項２】
前記ワイピングサンプル採取部は被検体入口を含み、被検体は、ワイピングコンベヤに接触するように、前記被検体入口から前記ワイピングサンプル採取部に挿入してから前記ワイピングサンプル採取部から引き離されることができ、これにより、前記ワイピングコンベヤは被検体の表面のサンプルをワイピングして取得する、請求項１に記載のワイピングサンプル採取装置。
【請求項３】
前記ワイピングサンプル採取部は、被検体を受け取るために配置されるサンプル室を含み、前記ワイピングコンベヤは前記サンプル室内の被検体の表面に接触し、かつ前記ワイピングコンベヤの運動により、前記ワイピングコンベヤは被検体の表面のサンプルをワイピングして取得する、請求項１または２に記載のワイピングサンプル採取装置。
【請求項４】
解析部は解析室を含み、前記解析室は、前記ワイピングコンベヤが前記解析室に入るためのワイピングコンベヤ入口と、前記ワイピングコンベヤが前記解析室から離れるためのワイピングコンベヤ出口と、解析室内のサンプルを導出するためのサンプル導出口とを含む、請求項１〜３のいずれか１項に記載のワイピングサンプル採取装置。
【請求項５】
前記解析部は、解析部内部温度を所望の温度に制御するための温度制御装置を含み、前記温度制御装置は、前記解析室内に設けられる加熱装置と、温度を検出するための温度センサと、解析室内の熱を隔離するための保温層とを含む、請求項４に記載のワイピングサンプル採取装置。
【請求項６】
前記解析室は、ワイピングコンベヤ出口に配置され、ワイピングコンベヤ出口を封止するとともにワイピングコンベヤ出口を通過する前記ワイピングコンベヤを清掃するためのワイピングコンベヤ出口封止材を含む、請求項４または５に記載のワイピングサンプル採取装置。
【請求項７】
ケースを含み、前記ワイピングサンプル採取部及び解析部は前記ケース内に収納されて外部環境と隔離され、かつ、前記ワイピングサンプル採取装置は、前記ケース内にありケース内のガスを濾過や清掃するためのガス濾過装置を含む、請求項１〜６のいずれか１項に記載のワイピングサンプル採取装置。
【請求項８】
前記被検体入口は、被検体が前記ワイピングコンベヤの移動方向に沿って前記被検体入口に挿入され、あるいは、前記ワイピングコンベヤの移動方向に垂直する方向に沿って前記被検体入口に挿入されることが許可されるように配置される、請求項２〜７のいずれか１項に記載のワイピングサンプル採取装置。
【請求項９】
被検体はカードや証明書である、請求項１〜８のいずれか１項に記載のワイピングサンプル採取装置。
【請求項１０】
ワイピングコンベヤ出口封止材はコルゲート状ソフトジャケットである、請求項６〜９のいずれか１項に記載のワイピングサンプル採取装置。
【請求項１１】
カードの情報を読取するためのカード読取機器であって、
請求項１〜１０のいずれか１項に記載のワイピングサンプル採取装置を含み、カードがワイピングサンプル採取装置のワイピングサンプル採取部に置かれる時、カード読取機器がカードの情報を読取するのと同時やその後に、ワイピングサンプル採取装置はカードの表面のサンプルをワイピングして取得するように配置されるカード読取機器。
【請求項１２】
前記ワイピングサンプル採取部はカード読取室を含み、前記カードがカード読取室に置かれ、カード読取機器が前記カードの情報を読取するのと同時やその後に、前記ワイピングコンベヤはカード読取室に置かれた前記カードの表面と接触し、かつ前記ワイピングコンベヤの運動により、ワイピングコンベヤは前記カードの表面のサンプルをワイピングして取得する、請求項１１に記載のカード読取機器。
【請求項１３】
請求項１１または請求項１２に記載のカード読取機器を含むゲート機器。
【発明の詳細な説明】
【技術分野】
【０００１】
本発明は分析検出技術分野に関し、特にワイピングサンプル採取装置、カード読取機器及びゲート機器に関する。
【背景技術】
【０００２】
テロ活動及び麻薬密輸を防止するために、現在、痕跡量の麻薬や爆発物を検出する多種の技術が発展している。検出に合わせるために、カード・証明書に対して検出を行う効率的で迅速なサンプル採取装置は求められている。
【発明の概要】
【０００３】
本発明の一態様は、それぞれの回転軸周りに回動できる第一輪、第二輪、及び、第一輪と第二輪に引っ張られ、第一輪と第二輪の回動によって第一輪と第二輪との間を移動するワイピングコンベヤを含むワイピングサンプル採取部と、送られてきたサンプルを解析するように配置される解析部と、を備えるワイピングサンプル採取装置であって、前記ワイピングコンベヤが前記解析部に入った時、解析部が前記ワイピングコンベヤ上のサンプルを解析できるように、前記ワイピングコンベヤは移動して前記解析部を通過するワイピングサンプル採取装置を提供する。
【０００４】
１実施例において、前記ワイピングサンプル採取部は被検体入口を含み、被検体は、ワイピングコンベヤに接触するように、前記被検体入口から前記ワイピングサンプル採取部に挿入してから前記ワイピングサンプル採取部から引き離されることができ、これにより、前記ワイピングコンベヤは被検体の表面のサンプルをワイピングして取得する。
【０００５】
１実施例において、前記ワイピングサンプル採取部は、被検体を受け取るために配置されるサンプル室を含み、前記ワイピングコンベヤが前記サンプル室内の被検体の表面に接触し、かつ前記ワイピングコンベヤの運動により、前記ワイピングコンベヤは被検体の表面のサンプルをワイピングして取得する。
【０００６】
１実施例において、解析部は解析室を含み、前記解析室は、前記ワイピングコンベヤが前記解析室に入るためのワイピングコンベヤ入口と、前記ワイピングコンベヤが前記解析室から離れるためのワイピングコンベヤ出口と、解析室内のサンプルを導出するためのサンプル導出口とを含む。
【０００７】
１実施例において、前記解析部は、解析部内部温度を所望の温度に制御するための温度制御装置を含み、前記温度制御装置は、前記解析室内に設けられる加熱装置と、温度を検出するための温度センサと、解析室内の熱を隔離するための保温層とを含む。
【０００８】
１実施例において、前記解析室は、ワイピングコンベヤ出口に配置され、ワイピングコンベヤ出口を封止するとともにワイピングコンベヤ出口を通過する前記ワイピングコンベヤを清掃するためのワイピングコンベヤ出口封止材を含む。
【０００９】
１実施例において、ワイピングサンプル採取装置はケースを含み、前記ワイピングサンプル採取部及び解析部は前記ケース内に収納されて外部環境と隔離され、かつ、前記ワイピングサンプル採取装置は、前記ケース内にありケース内のガスを濾過や清掃するためのガス濾過装置を含む。
【００１０】
１実施例において、前記被検体入口は、被検体が前記ワイピングコンベヤの移動方向に沿って前記被検体入口に挿入され、あるいは、前記ワイピングコンベヤの移動方向に垂直する方向に沿って前記被検体入口に挿入されることが許可されるように配置される。
【００１１】
１実施例において、被検体はカードや証明書である。
１実施例において、ワイピングコンベヤ出口封止材はコルゲート状ソフトジャケットである。
【００１２】
本発明の一態様は、カードの情報を読取するためのカード読取機器であって、請求項１に記載のワイピングサンプル採取装置を含み、カードがワイピングサンプル採取装置のワイピングサンプル採取部に置かれる時、カード読取機器がカードの情報を読取するのと同時やその後に、ワイピングサンプル採取装置はカードの表面のサンプルをワイピングして取得するように配置されるカード読取機器を提供する。
【００１３】
本発明の一態様は上記カード読取機器を含むゲート機器を提供する。
【図面の簡単な説明】
【００１４】
【図１】図１は本発明の１実施例によるワイピングサンプル採取装置の模式図である。
【図２】図２は本発明の別の１実施例によるワイピングサンプル採取装置の模式図である。
【発明を実施するための最良の形態】
【００１５】
本発明に対して様々な変更や置き換えを行うことができるが、その具体的な実施例を例示の形で図面に示し、かつ明細書で詳細に説明する。しかしながら、理解できるように、添付された図面及び詳細な説明は本発明を開示の具体的な形態に限定するためのものではなく、逆に、添付された請求の範囲で限定された本発明の精神及び範囲に入るあらゆる変更、同等形式、置き換え方式は保護の範囲に含まれるものである。図面は模式的なものであるため、実際寸法に比例して描画されたものではない。
【００１６】
以下、図面を参照しながら本発明による複数の実施例を説明する。
ワイピングサンプル採取装置は、それぞれの回転軸周りに回動できる第一輪１、第二輪２、及び、第一輪と第二輪に引っ張られ、第一輪と第二輪の回動によって第一輪と第二輪との間を移動するワイピングコンベヤ３を含むワイピングサンプル採取部と、送られてきたサンプルを解析するように配置される解析部と、を備える。前記ワイピングコンベヤが前記解析部に入った時、解析部が前記ワイピングコンベヤ上のサンプルを解析できるように、前記ワイピングコンベヤは移動して前記解析部を通過する。本発明のワイピングサンプル採取装置は自動ワイピング式サンプル採取を用い、直接に吸気してサンプル採取する装置よりも、半揮散性を有するもの及び顆粒物質に対するサンプル採取に適し、効率が高く、検出器の最低検出限界への技術要求を効果的に下げられ、検出感度を向上させ、麻薬や爆発物類物質を携帯する税関通過者に対する安全検査により適切である。
【００１７】
本発明の実施例において、前記ワイピングサンプル採取部は被検体入口５を含み、被検体４は、ワイピングコンベヤ３に接触するように、前記被検体入口から前記ワイピングサンプル採取部に挿入してから前記ワイピングサンプル採取部から引き離されることができ、これにより、前記ワイピングコンベヤは被検体の表面のサンプルをワイピングして取得する。
【００１８】
本発明の１実施例において、前記ワイピングサンプル採取部は、被検体４を受け取るために配置されるサンプル室６を含んでもよく、前記ワイピングコンベヤ３が前記サンプル室６内の被検体４の表面に接触し、かつ前記ワイピングコンベヤ３の運動により、前記ワイピングコンベヤ３は被検体４の表面のサンプルをワイピングして取得する。１つの実施形態において、サンプル室はカード・証明書室６であってもよい。
【００１９】
本発明の１実施例において、解析部は解析室９を含み、前記解析室９は、前記ワイピングコンベヤが前記解析室に入るためのワイピングコンベヤ入口１０と、前記ワイピングコンベヤが前記解析室から離れるためのワイピングコンベヤ出口１１と、解析室内のサンプルを導出するためのサンプル導出口１２とを含む。
【００２０】
本発明の１実施例において、前記解析部は、解析部内部温度を所望の温度に制御するための温度制御装置を含み、前記温度制御装置は、前記解析室内に設けられる加熱装置１５と、温度を検出するための温度センサ１６と、解析室内の熱を隔離するための保温層１４とを含む。ワイピングサンプルを解析室で速く気化させて解析するために、解析室には温度制御装置が設けられ、サンプルを充分に解析するように、コンピュータの制御により例えば一般的に１２０℃〜１８０℃で解析室の温度制御を実現できる。
【００２１】
本発明の１実施例において、前記解析室は、ワイピングコンベヤ出口に配置され、ワイピングコンベヤ出口を封止するとともにワイピングコンベヤ出口を通過する前記ワイピングコンベヤを清掃するためのワイピングコンベヤ出口封止材を含む。
【００２２】
本発明の１実施例において、周囲環境空気の干渉を避けるために、ワイピングサンプル採取装置はケース１８を含み、前記ワイピングサンプル採取部及び解析部は前記ケース１８内に収納されて外部環境と隔離され、かつ、前記ワイピングサンプル採取装置は、前記ケース内にありケース内のガスを吸気するためのポンプ２０と、前記ケース内にありケース内のガスを濾過や清掃するためのガス濾過装置２１とを含む。
【００２３】
本発明の１実施例において、被検体４はカード４や証明書４である。
本発明の実施例はカードの情報を読取するためのカード読取機器をさらに提供し、前記カード読取機器は上記のワイピングサンプル採取装置を含み、カード４がワイピングサンプル採取装置のワイピングサンプル採取部に位置する時、カード読取機器がカード４の情報を読取するのと同時やその後に、ワイピングサンプル採取装置はカード４の表面のサンプルをワイピングして取得する。本発明の実施例による装置は設計構造がコンパクトで簡単であり、ゲートに設置可能であり、カード・証明書に対して自動的にサンプル採取し、かばんを開けずに人の体を干渉しない状況で痕跡量物質に対する検査を実現し、従来の安全検査におけるプライバシー問題や人に対する干渉を避けることができる。
【００２４】
本実施例において、前記ワイピングサンプル採取部はカード読取室６を含み、前記カードがカード読取室６に置かれ、カード読取機器が前記カード４の情報を読取するのと同時やその後に、前記ワイピングコンベヤはカード読取室内に置かれた前記カード４の表面に接触し、かつ前記ワイピングコンベヤの運動により、ワイピングコンベヤ３は前記カードの表面のサンプルをワイピングして取得する。
【００２５】
図１及び図２はそれぞれ２種の実施例のワイピングサンプル採取装置の模式図である。２種の実施例の相違点として、図１による実施例において、カード・証明書室カード入口５の入口方向とワイピングコンベヤ３の運動方向とは平行であるのに対し、図２による実施例において、カード・証明書室カード入口５の入口方向とワイピングコンベヤ３の運動方向とは垂直である。上記設置が異なる以外、２種の実施例における他の設置は完全に同じである。説明を簡略させるために、図１と図２の２種の実施例は以下の説明を通用でき、２種の実施例はいずれも本発明の保護範囲にある。
【００２６】
図１または図２に示すように、本発明の実施例によるワイピングサンプル採取装置は、輪１やローラ１、輪２やローラ２、及びワイピングコンベヤ３を含むワイピングサンプル採取部と、解析室９とを含む。ワイピングサンプル採取装置にはさらに、カード・証明書室６が設けられている。図２には、例えばカードがカード・証明書室６内に置かれた状態が示されている。ワイピングサンプル採取装置全体は作動室１９で囲まれる。作動室１９はケース１８で限定されている。言い換えれば、ワイピングサンプル採取装置全体はケース１８によって囲まれる。
【００２７】
前記ワイピングサンプル採取部は、サンプルを連続的にワイピングしてサンプルを加熱昇温可能な解析室９に輸送するためのものである。前記ローラ１とローラ２とは所定距離離れ、前記ワイピングコンベヤ３は、カード・証明書室６及び熱解析室９を挿通してローラ１及びローラ２を周回して環を形成し、ローラ１及びローラ２の回転によって、ワイピングコンベヤ３はカード・証明書室６でカード・証明書４をワイピングしてサンプル採取し、そして解析室９でサンプルを解析することができ、このように繰り返してサンプル採取を行う。前記ワイピングコンベヤ３としては、高温（１２０℃以上）耐性を有し、不活性が強く、靭性がよく、ワイピング効果がよい任意の材料を用いてもよく、その幅は、身分証明書の幅とほぼ同じであるように設置され、あるいはパスポートなどの証明書の幅と近いように設置されてもよい。しかしながら、ワイピングコンベヤ３は任意の幅であってもよい。コンピュータでモータを制御することで、ワイピングコンベヤ３が等速運動して連続的にワイピングサンプル採取するようにしてもよく、モータと位置センサ（未図示）でワイピングコンベヤ３をタイミングに従って設定し、カード・証明書４がカード・証明書室６に位置する時にワイピングコンベヤ３がワイピングサンプル採取し、タイミングに従って解析室９に入って位置決められてサンプルを提供するようにしてもよい。
【００２８】
カード・証明書室６には、カード・証明書４が正確に挿入されることを確保するカード・証明書カード入口５が設けられる。ワイピングコンベヤ３は、ワイピングコンベヤ入口７とワイピングコンベヤ出口８を通過してカード・証明書室６で走行し、カード・証明書４が挿入された後、ワイピングコンベヤ３の表面はカード・証明書４の表面に平行して密着することで、カード・証明書４に対する効率的なワイピングサンプル採取を実現する。ワイピングコンベヤ３はカード・証明書室６を通過してワイピングサンプル採取してから解析室９に入る。
【００２９】
１実施例において、カード入口に近い輪または回転軸は、カード・証明書の表面に垂直する方向に沿って弾性圧力を加えることができ、異なる厚さを有するカード・証明書がカード入口に挿入された時、該輪または回転軸は、前記ワイピングコンベヤが前記カードに密接するようにカードの表面を押さえ付けることにより、前記ワイピングコンベヤは移動する時にカード・証明書の表面を自動的にワイピングし、カード・証明書の表面のサンプルを持っていく。
【００３０】
解析室９には、ワイピングコンベヤ入口１０、ワイピングコンベヤ出口１１、及びサンプル導出口１２が設けられる。カード・証明書室６のワイピングコンベヤ出口８と解析室のワイピングコンベヤ入口１０とは隣り合って連通する。ワイピングコンベヤ出口１１にはコルゲート状ソフトジャケット２２が設けられてもよく、コルゲート状ソフトジャケット２２は解析室９に対して一定の封止作用を有して被解析のサンプルの漏れを防止する一方、ワイピングコンベヤ３に対して清掃作用を有する。コルゲート状ソフトジャケット２２としては、フッ素ゴムなどの高温で動作でき、かつ揮散しない物質を材料として用いてもよい。
【００３１】
解析室９には、加熱装置１５、温度センサ１６、保温ジャケット１４がさらに設けられており、それらは、コンピュータの制御で解析室９を所望の温度にし、サンプルを充分に解析させる温度制御装置を構成している。解析室９には、熱解析室インナケース１３がさらに設けられる。解析室インナケース１３は、例えばポリテトラフルオロエチレン、セラミック、ガラスまたは石英ライナーのような耐高温の不活性材料を用いてもよく、金メッキの金属材料を用いてもよい。保温ジャケット１４としては、厚さ約２０ｍｍのエアロゲル、ガラスやセラミックウールを用いてもよい。
【００３２】
解析室９で熱解析されたサンプルは、サンプル導出口１２を通過して接続される他の機器１７に入り、ここでは贅言しないが、他の分析機器１７はサイクロンサンプル取込器であってもよく、予備濃縮装置や他の装置であってもよく、ユニバーサル六方弁サンプル取込器、あるいはＩＭＳ、ＭＳ、ＧＣなどの分析機器であってもよい。
【００３３】
ケース１８は、前述した部品を作動室１９内に含ませることで、周囲環境空気の干渉を避けることができ、ケース１８は金属材料を用いてもよい。ポンプ２０で室内エアを吸気してガス濾過器２１に通過させると、ケース１８内のエアをサイクルして防汚浄化することを実現できる。
【００３４】
本発明の実施例によるサイクル自動ワイピングサンプル採取装置は、ゲートに配置されることができ、その動作フローは以下のとおりである。
【００３５】
通行者がゲートを通過してカード・証明書４をカード・証明書室６に挿入してから引き出す瞬間、カード・証明書室６に密着するワイピングコンベヤ３はカード・証明書４に対する迅速自動ワイピングサンプル採取を完成する。ワイピングコンベヤ３にワイピングされてカード・証明書４から離れたサンプルは解析室９に迅速的に輸送され、解析室９内で瞬間に高温解析される。解析されたサンプルはサンプル導出口１２に接続された他の機器１７に入る。ワイピングコンベヤ３の速度を制御すると、ワイピングサンプル採取、熱解析のサイクル全過程は、例えば４秒内に完成することができる。このように循環して、人の流れの正常な通行を影響せずに通行者の一人一人に対してサンプル採取することを実現できる。
【００３６】
本発明によるサンプル採取方法は、「迅速、サイクル、全自動」というメリットを同時に有し、通行者の一人一人に対して迅速的にサンプル採取することを実現でき、従来の手動的サンプル採取による低効率でスポットチェックしか行えない不備を解消し、検査効率を向上させ、空港／ハイウェイ／鉄路改札口、大型会議入場などにおける人員通行の現場迅速検査に適し、痕跡量物質税関通過検査の新規モードを見出した。
【００３７】
本発明の全体的構想による一部の実施例は既に表示や説明されているが、当業者であれば理解できるように、本発明の全体的構想の原則と精神を逸脱しない限り、これら実施例を変更することができ、本発明の範囲は、請求の範囲及びその同等物によって限定される。
【図１】
2018096982.tif 000003
【図２】
2018096982.tif 000004